(57)【要約】【課題】  取り付け・取り外しが面倒なく行え、廃棄処分も簡単に行える油捕集用フィルタを提供すること。【解決手段】  本発明の油捕集用フィルタは、捕集部２と、形状保持性を有する樹脂製の装着部３を備えている。装着部３には部分的に形状保持性が付与されていることが好ましい。装着部３に開口部４が設けられていることが好ましい。【選択図】  図１
2006334479.tif 000002
【特許請求の範囲】
【請求項１】
捕集部と形状保持性を有する樹脂製の装着部とを備える油捕集用フィルタ。
【請求項２】
前記装着部に部分的に形状保持性が付与されている請求項１記載の油捕集用フィルタ。
【請求項３】
前記装着部に開口部が設けられている請求項１又は２記載の油捕集用フィルタ。
【発明の詳細な説明】
【技術分野】
【０００１】
本発明は、レンジフードなどに取り付けられて使用される油捕集用フィルタ（以下、単にフィルタともいう。）に関する。
【背景技術】
【０００２】
レンジフードの吸入口には、調理時に発生する油煙や埃等（以下、油煙等という。）によって排煙用のファン等が直接汚れないように、これらを捕獲するグリスフィルタと称される金属製のフィルタが取り付けられている。しかし、このグリスフィルタは、掃除が面倒であるため、その手間を軽減するために、その外側にさらに不織布等の素材からなる使い捨てのフィルタが取り付けられて使用されている。
【０００３】
斯かる使い捨てのフィルタのグリスフィルタ、レンジフードへの装着方法として、市販フィルタには磁石でフィルタをグリスフィルタの表面に貼り付けるタイプ、フィルタの上下をグリスフィルタに巻き付けた後にレンジフードの溝へ嵌め込み固定するタイプがある。しかし、磁石による装着は使用時にフィルタが落下するなどの危険があり、グリスフィルタへの巻き付けは、装着時にシワや弛みが発生しやすく、キッチンの美観を損ねるばかりか油捕集性の低下にも繋がる。
【０００４】
グリスフィルタへの取り付け・取り外しを簡便にするための技術として、下記特許文献１に記載の技術が提案されている。この技術は、フィルタの上端部に金属泊部を設けておき、該金属泊部をグリスフィルタの上端部に巻き込んでフィルタの上端部を固定するとともに、フィルタの下方部は金属製の固定治具で固定し、その取り付け・取り外しを簡便化したものである。
【０００５】
上述したフィルタは取り付けを簡便化するものの、固定治具に油や埃が付着して汚れるため、フィルタの取り外しの度に汚れた固定治具に触れなければならいほか、フィルタの素材と異なる金属泊部を有しているため、汚れたフィルタから金属泊部を取り外して分別廃棄しなければならず、取り扱いが面倒であった。
【０００６】
【特許文献１】実開平３−９８９２２号公報
【発明の開示】
【発明が解決しようとする課題】
【０００７】
従って、本発明は、取り付け・取り外しが面倒なく行え、廃棄処分も簡単に行える油捕集用フィルタを提供することを目的とする。
【課題を解決するための手段】
【０００８】
本発明は、捕集部と形状保持性を有する樹脂製の装着部とを備える油捕集用フィルタを提供することにより、前記目的を達成したものである。
【発明の効果】
【０００９】
本発明の油捕集用フィルタは、取り付け・取り外しが面倒なく行え、廃棄処分も簡単に行える。
【発明を実施するための最良の形態】
【００１０】
以下本発明を、その好ましい実施形態に基づき図面を参照しながら説明する。
図１は、本発明のフィルタの一実施形態を示すものである。図１に示すフィルタ１は、外形が矩形状のシート状の形態を有し、捕集部２と、形状保持性を有する樹脂製の装着部３とを備えている。フィルタ１は、捕集部２の上下両端部に装着部３を備えている。
【００１１】
捕集部２の捕集部基材シート（以下、単に基材シートともいう。）２０には、従来からこの種類のフィルタに用いられている繊維材料のシートと同様のものを用いることができる。レンジフードに取り付けられて用いられる観点から、基材シート２０は防炎性であることが好ましく、ガラス繊維、炭素繊維などの不燃性繊維、ポリ塩化ビニル、ポリ塩化ビニリデン、ポリクラール、難燃ポリエステル、難燃アクリル、難燃レーヨンなどの難燃性繊維から構成されるか、不燃物繊維または（および）難燃性繊維が混綿されていることが好ましい。尚、ここで言う難燃性繊維とはLOI値が２６以上の繊維を示す。また、基材シート２０は不燃性や難燃性繊維から構成されない、または構成されていても防炎性が不十分である場合は、後加工工程でハロゲン系またはリン系の難燃剤を固着させたり、難燃剤を含んだ樹脂をバインダーとして繊維表面に皮膜形成させることで防炎性が賦与されることが好ましい。
【００１２】
基材シート２０の製造法は特に指定されるものではなく、前述の各種繊維がカード法により開繊して繊維ウェブとした後、これに絡合処理を施し、繊維同士を交絡させる方法でシート化したものを用いることができる。また、繊維ウェブに熱風を貫通方式で吹き付けて熱接合性繊維を溶融させ、繊維同士の交点を融着させる方法でシート化することもできる。或いは、繊維ウェブにバインダーを施して繊維同士の交点を接着させる方法でシート化したものを用いることもできる。通気性と油煙等の捕集性とのバランスを高める目的や、シートの強度を向上させる目的で異なる製造法のシート同士を組み合わせたり、網状シートなどの異なる素材を組み合わせて用いても良い。
【００１３】
基材シート２０は構成される繊維の繊度が１．５〜３０dtex程度であること、坪量が１５〜４００ｇ／ｍ2、特に４０〜３００ｇ／ｍ2であること、０．３ｋＰａ荷重下の厚みが０．８〜２０ｍｍ、特に１．２ｍｍ〜１０ｍｍであることが、通気性と油煙等の捕集性とのバランス、およびコストの点から望ましい。
【００１４】
装着部３は、基材シート２０の延長部分または基材シート２０とは異なる材質からなる装着部基材シート（以下、単に基材シートともいう。）３０に、形状保持性を有する短冊状の樹脂製の形状保持材３１〜３３が接合されて設けられている。ここで捕集部２の基材シート２０と装着部３の基材シート３０はヒートシール法により接合され、形状保持材３１〜３３は基材シート３０を２枚重ねてヒートシール加工により作られた、ポケットに収納することで固定されているが、接合、固定方法としては接着剤やホットメルトなども使用可能であり、特に制限はない。
【００１５】
基材シート３０の材質は、廃棄性、捕集部２及び形状保持材３１〜３３との接着性、固定性という点から、ポリエチレン、ポリプロピレン、低融点ポリエステル繊維などを鞘成分に持つ芯鞘型のバインダー繊維が構成繊維として用いられることが好ましい。また、基材シート３０も防炎性であることが好ましく、防炎性を賦与する方法としては基材シート２０と同様に難燃性繊維を混綿する、後加工工程でハロゲン系またはリン系の難燃剤を固着させたり、難燃剤を含んだ樹脂をバインダーとして繊維表面に皮膜形成させることで防炎性が賦与されていることが好ましい。
【００１６】
基材シート３０は構成される繊維の繊度が１．５〜３０dtex程度であること、坪量が１５〜２００ｇ／ｍ2、特に４０〜１００ｇ／ｍ2であること、０．３ｋＰａ荷重下の厚みが０．５〜２ｍｍ、特に０．５ｍｍ〜１．５ｍｍであることが、グリスフィルタへの装着、レンジフードへのセットという点から好ましい。フィルタは装着部３をグリスフィルタに巻きつけ、レンジフードの溝にはめ込むことによりセットされるが、坪量が高く、厚みが厚すぎると、グリスフィルタに巻き付け難くなり、また、グリスフィルタに装着後、レンジフードの溝にはめ込むことが困難になる。
【００１７】
形状保持材３１〜３３としてはポリエチレン等のポリオレフィン系の樹脂が一軸方向に強く延伸され、形状保持性が賦与された樹脂シートなどが挙げられる。形状保持材は、手で容易に折り曲げることができながら、折り曲げた形状を維持し、油捕集用フィルタのグリスフィルタへの装着、レンジフードへのセットが容易になる。形状保持材の形状保持力は０．１０Ｎ以上、特に０．１５Ｎ以上であることが好ましい。
【００１８】
形状保持材の形状保持力は、図４に示すように、形状保持材を９０°に折り曲げた後、折り曲げ方向と反対側に戻すのに必要な荷重値を、先端が切妻型のプッシュプルゲージ（ＡＩＫＯＨ製  9500ＳＥＲＩＥＳ）を用いて測定し（所定位置より測定）、この時の最大値を形状保持力とする。
【００１９】
また、形状保持材の幅は４０ｍｍ以下、特に２０ｍｍ以下が手、指で容易に折り曲げ可能である点で好ましい。形状保持材の厚み（０．３ｋＰａ荷重下の厚み）は１．５ｍｍ以下、特に０．６ｍｍ以下であることがグリスフィルタに巻き付け易い点、また、グリスフィルタに装着後、レンジフードの溝にはめ込みセットする点から好ましい。尚、形状保持材の数は１つでも、複数でも特に制限はない。
【００２０】
フィルタ１は、グリスフィルタの摘みを挿入することができるように、装着部３にスリット状の開口部４が設けられている。本実施形態では、取り付けるグリスフィルタのサイズに合わせて選択できるように、開口部４は二つ設けられている。
【００２１】
フィルタ１は、２種類のグリスフィルタのサイズに合わせて選択して使用できるように、切断誘導線５が付されており、これに合わせて形状保持材３３及び開口部４が配されている。
【００２２】
フィルタ１は、必要に応じ、切断誘導線５に沿って切断して取り付けるグリスフィルタのサイズに合わせた後、図２に示すように、装着部３をグリスフィルタ１０の上下端部に合わせて折り曲げ、さらにグリスフィルタの摘み１００を開口部４に挿入して取り付け、この状態でレンジフードに取り付けて使用される。
【００２３】
使用後には、グリスフィルタから取り外し、図３に示すように、丸めて装着部３で丸め状態を保持して廃棄する。
【００２４】
以上説明したように、本実施形態のフィルタは、取り付け・取り外しが面倒なく行え、分別が不要で廃棄処分も簡単に行えるほか、グリスフィルタのサイズに合わせて切断して使用することができる。また、摘み部を挿入するための開口部が設けられているため、グリスフィルタ表面へのフィット性にも優れる。
【００２５】
本発明は前記実施形態に制限されるものではなく、本発明の趣旨を逸脱しない範囲において適宜変更することができる。
【００２６】
前記実施形態のフィルタでは、２種類のグリスフィルタのサイズに合わせて使用できるように、形状保持材、開口部及び切断誘導線を配したが、これらを三種類以上のサイズに合わせてさらに増やして配することもできるし、１種類のサイズを対象とする場合にはこれらを省略することもできる。
【実施例】
【００２７】
図１に示したフィルタを下記材質で作製し、下記のようにグリスフィルタへの装着性、レンジフードへの装着性及び装着後の美観を評価した。それらの結果を形状保持材の形状及び物性とともに表１に示した。
【００２８】
＜実施例１＞
捕集部の基材シートとして難燃性のポリエステル繊維からなるニードルパンチ不織布（坪量２００ｇ／ｍ2、厚み６．２ｍｍ、幅３０ｃｍ、長さ３０ｃｍ）、装着部の基材シートとしてポリプロピレン繊維スパンボンド不織布（坪量８０ｇ／ｍ2、厚み０．５ｍｍ、幅３０ｃｍ、長さ１０ｃｍ）、装着部の形状保持材として積水化学工業（株）のポリエチレン製形状保持テープ「フォルテ」厚み０．４ｍｍ、幅４ｍｍ品を長さ（延伸方向に）８．５ｃｍにカットしたもの３枚を用い、捕集部の基材シートの上下に装着部の基材シートを５ｍｍ重ね合わせてヒートシールし、また、ポリエチレン製形状保持テープを両面テープで装着部の基材シートに貼り付けて、図１に示すような油捕集用フィルタを得た。
【００２９】
＜実施例２、３＞
装着部の形状保持材としてポリエチレン製形状保持テープ「フォルテ」厚み０．４ｍｍ、幅６ｍｍ品、厚み０．６ｍｍ、幅６ｍｍ品をそれぞれ、長さ（延伸方向）８．５ｃｍにカットしたものを用い、実施例１同様の油捕集用フィルタを得た。
【００３０】
＜比較例１＞
市販不織布タイプの油捕集用フィルタ（商品名：ふんわりフィルターフリーサイズ、東洋アルミホイルプロダクツ（株）製、坪量４０ｇ／ｍ2、長さ４６ｃｍ）を幅３０ｃｍにカットしもの。この油捕集用フィルタは上下を図２に示すようにグリスフィルタに巻きつけて、レンジフードの溝にグリスフィルタを嵌め込みセットする。この際、付属の粘着面を持つメカニカルファスナーを使用し、粘着面をグリスフィルタに貼り付け、メカニカルファスナー面でフィルタを仮止めしてからグリスフィルタに巻きつけて、レンジフードに装着することが能書にて指示されている。
【００３１】
＜グリスフィルタへの装着し易さ＞
油捕集用フィルタの上下（装着部）をグリスフィルタ（幅３０ｃｍ、高さ３４ｃｍ、厚み６ｍｍ）に巻きつけ装着し、下記のように３段階で評価した。
○：装着性に優れる
△：装着に手間がかかる
×：装着困難
【００３２】
＜レンジフードへの装着し易さ＞
油捕集用フィルタを取り付けた上記グリスフィルタをさらにレンジフードの溝に嵌め込みセットし、下記のように３段階で評価した。
○：装着性に優れる
△：装着に手間がかかる
×：装着困難
【００３３】
＜装着後の美観＞
油捕集用フィルタをレンジフードへ装着したときの美観を、下記のように２段階で評価した。
○：シワ、弛み少なく見た目が良い
×：シワ、弛み多く見た目が悪い
【００３４】
【表１】
2006334479.tif 000003
【００３５】
表１に示したように、比較例１のフィルタは装着時に弛みが発生し、弛みを解消するために何度も付け直しをする必要があった。また、付け直しの際シートが伸び、シワになり易く、装着後の見た目も悪かった。これに対し、各実施例のフィルタは、グリスフィルタへの装着性、レンジフードへの装着性、装着後の美観に優れている上に、廃棄時も分別の必要性がなく、廃棄もし易かった。
【図面の簡単な説明】
【００３６】
【図１】本発明の油捕集用フィルタの一実施形態を模式的に示す平面図である。
【図２】同実施形態の油捕集用フィルタをグリスフィルタに取り付けた状態を模式的に示す側面図である。
【図３】同実施形態の油捕集用フィルタの使用後の廃棄形態を模式的に示す斜視図である。
【図４】（ａ）及び（ｂ）は形状保持材の形状保持力の測定方法を説明するための模式図である。
【符号の説明】
【００３７】
１  油捕集用フィルタ
２  捕集部
２０  捕集部基材シート
３  装着部
３０  装着部基材シート
３１、３２、３３  形状保持材
４  開口部
５  切断誘導線
【図１】
2006334479.tif 000004
【図２】
2006334479.tif 000005
【図３】
2006334479.tif 000006
【図４】
2006334479.tif 000007